(57)【特許請求の範囲】
【請求項１】
前面側にモジュラーコネクタ又はモジュラープラグが着脱自在に結合される結合部を備え、背面側に上記結合部内のそれぞれのモジュラー端子と導通した摺接部がそれぞれ異なる半径位置に露出した第１及び第２のモジュラーソケットと、
同心円状に配した複数の端子板を、一方及び他方の面に露出した状態で保持し、上記第１のモジュラーソケットの背面側と一方の面とを略同軸に接続させて、第１のモジュラーソケットのそれぞれの摺接部と上記それぞれの端子板とを個別に接触させた状態で回転自在に連結すると共に、上記第２のモジュラーソケットの背面側と他方の面とを略同軸に接続させて、第２のモジュラーソケットのそれぞれの摺接部と上記それぞれの端子板とを接触させた状態で連結する連結体とを備えた
コネクタ装置。
【請求項２】
請求項１記載のコネクタ装置において、
上記第１及び第２のモジュラーソケットと、上記連結体とが連結した状態で、この第１及び第２のモジュラーソケットと連結体とを収納するケースを備え、
該ケース内で上記第１のモジュラーソケットが上記連結体に対して回転自在となるようにした
コネクタ装置。
【請求項３】
請求項１記載のコネクタ装置において、
上記それぞれの摺接部の先端を複数に分割し、分割したそれぞれの摺接部を上記端子板と個別に接触させた
コネクタ装置。
【発明の詳細な説明】
【０００１】
【発明の属する技術分野】
本発明は、例えば電話機本体と受話器とを接続する電話機用コードのコネクタ装置に適用して好適なコネクタ装置に関する。
【０００２】
【従来の技術】
電話機の本体と受話器とは、所謂コードレスタイプのものを除いて、複数の導線を結束したコードにより連結され、このコードによって電話機本体内の回路と受話器内の回路とが電気的に接続される。
【０００３】
ところで、このようなコード（以下、電話機用コードという）は、受話器を取り扱う際に捩じれてしまうことが多く、この捩じれにより断線を招くこととなるため、電話機用コードを予めコイル状に成形したもの（以下、カールコードという）が多く用いられている。
【０００４】
このように、電話機本体と受話器とをカールコードにより接続することで、局部的な折れ曲がりが生じるのを防止し、コードの長さを伸縮することができるようにしている。
【０００５】
しかしながら、カールコードを用いて電話機本体と受話器とを接続しても、捩じれを防止することはできず、特に電話機本体とカールコードとの接続部分は局部的に捩じれてしまう場合があり、やはり断線を招くこととなってしまっていた。また、所謂二重コイル状に捩じれてしまった場合には、本来可能であった長さにまでコードを伸ばすことができなくなってしまうこととなっていた。
【０００６】
このため、上述のような捩じれによる弊害を防止するために、所謂受信機コード捩じれ防止器と称される電話機用のコネクタ装置が各種開発されている。このコネクタ装置は、電話機本体と受話器との間を接続するコード（カールコード）に介挿するタイプのものである。このような従来のコネクタ装置の一例を図１３に示すと、略円筒状に形成されたケース１０１と、ケース１０１の軸回り方向に自在に回転する連結体１１０と、４本の導線を有し連結体１１０の後端部から延びるように設けられたモジュラーコード１０２と、このモジュラーコード１０２の後端部に連結されたモジュラーコネクタ１０３とが備えられている。なお、以下の説明において、コネクタ装置１００のモジュラーコネクタ１０３側を後方とし、モジュラーコネクタ１０３と反対側を前方であるとする。この場合、ケース１０１の後端側の内周面は、所定の内径の挿通孔１０１ａが形成されており、この挿通孔１０１ａから連結体１１０の後半部分を成す連結体後部１１１の一部が突出する如く連結体１１０が設置されている。なお、連結体１１０の突出部分は連結体後部１１１の後半部１１１ａであり、この後半部１１１ａは横断面の外形が略小判形をした筒状を為すように形成されている。
【０００７】
また、コネクタ装置１００は図１４に示す如く、ケース１０１の内部に固定されておりケース１０１と共に連結体１１０を支持するハウジング１３０を備えている。なお、ハウジング１３０の前半部はモジュラーソケット１３１が形成されており、このモジュラーソケット１３１は４本のモジュラー端子１３２，１３３，１３４，１３５を有している。また、ハウジング１３０には各モジュラー端子１３２〜１３５が各別に配置される４つの細長い端子配置溝１３６ａ，１３６ｂ，１３６ｃ，１３６ｄが設けられており、この端子配置溝１３６ａ〜１３６ｄから略後ろ方向へ延びた互いに同じ長さの各モジュラー端子１３２〜１３５の傾斜部１３２ｂ，１３３ｂ，１３４ｂ，１３５ｂが突出している。
【０００８】
このコネクタ装置１００に備えられる連結体１１０及びハウジング１３０についての外観構成を図１５を参照して説明すると、連結体１１０については、それぞれ合成樹脂により形成された互いに同軸に結合された３つの部分から成り、後半部１１１ａと円筒状を為す前半部１１１ｂと前半部１１１ｂの外周面の略中間に位置する円板状を形成するフランジ１１１ｃとを有する連結体後部１１１と、円板部１１２ａと円板部１１２ａの後面に薄い円板状を形成する嵌合突部１１２ｂとを有する連結体前部１１２と、円板部１１２ａと同じ大きさの円板部１１３ａを有する連結体中間部１１３とが備えられている。
【０００９】
また、連結体１１０には、円板部１１２ａと円板部１１２ａ及びフランジ１１１ｃの所定の位置にこれらの外径と略同じ外径を有する円帯状の端子板１１４，１１５，１１６，１１７が備えられている。この端子板１１４〜１１７には、モジュラーコード１０２が有する４本の導線１０２ａ，１０２ｂ，１０２ｃ，１０２ｄの一端が各別に内部で半田付けされている。連結体１１０は、連結体中間部１１３から前方の部分とフランジ１１１ｃから前方の部分に各別に前後方向から見て略円環状をした支持リング１１８，１１８′が外嵌されており、各支持リング１１８，１１８′の下半部１１８ａ，１１８′ａの外周面の周方向における両端寄りの位置に突設されている４つの係合突起１１９ａ，１１９ｂ，１１９ｃ，１１９ｄが設けられている。この支持リング１１８，１１８′は、上半部１１８ｂ，１１８′ｂと下半部１１８ａ，１１８′ａとでそれぞれ異なる所定の厚み及び所定の外周面の半径が形成されている。
【００１０】
ハウジング１３０については、各部が合成樹脂により一体に形成されており、前方部分がモジュラーソケット１３１で構成され、その他の部分が支持リング１１８，１１８′及び連結体１１０を支持する支持部１３７で構成されている。支持部１３７は、中間壁１３８と連結体配置部１３９とで形成されている。なお、中間壁１３８は、略中央部に円形をした支持孔１３８ａと上下方向に延び下端が支持孔１３８ａに達し上端が中間壁１３８の上端に達した切溝１３８ｂと切溝１３８ｂの左右両脇の位置に上下方向に延びる２つの切溝１３８ｃ，１３８ｄと係合爪１３８ｅとで形成されている。また、連結体配置部１３９の内周面１３９ａにはその周方向に沿って延びる互いに前後方向に離間して配され、支持リング１１８，１１８′の下半部１１８ａ，１１８′ａの外周部がそれぞれ係合される２つの係合溝１４０ａ，１４０ｂが形成されている。更に、連結体配置部１３９の周壁には略矩形に形成され、各係合突起１１９が係合される４つの係合孔１４１ａ，１４１ｂ，１４１ｃ，１４１ｄが設けられている。
【００１１】
連結体配置部１３９の所定の位置には、４本のモジュラー端子１３２〜１３５に対応して４つの端子挿通孔１４２，１４３，１４４，１４５（ここでは端子挿通孔１４４のみ図示している）が設けられており、この端子挿通孔１４２〜１４５から各モジュラー端子１３２〜１３５における後端から上方へ向かってそれぞれ延びた互いに略同じ長さの立上部１３２ｃ〜１３５ｃが突出するようにされている。
【００１２】
連結体１１０の内部構成の要部については図１６に示す如く、支持リング１１８，１１８′の底部の軸方向で互いに反対側を向いた面には、４つのバネ１２０，１２１，１２２，１２３をそれぞれ設置するための比較的小さな穴であって、横断面が円形であり軸方向と平行な方向に延びる４つのバネ配置穴１２０ａ，１２１ａ，１２２ａ，１２３ａが形成されている。これらのバネ配置穴１２０ａ〜１２３ａは、支持リング１１８，１１８′に２個ずつ、互いに離間した所定の位置に設けられている。
【００１３】
そして、バネ配置穴１２０ａ〜１２３ａが形成された面には上下方向に延びるスリット１２０ｂ，１２１ｂ，１２２ｂ，１２３ｂがそれぞれのバネ配置穴１２０ａ〜１２３ａに対応して形成され、バネ配置穴１２０ａ〜１２３ａの開口面と反対側の面に設けられると共に、その上下両端は支持リング１１８，１１８′の内周面と下半部１１８ａ，１１８′ａの外周面にそれぞれ達しており、かつ、その奥端部はバネ配置穴１２０ａ〜１２３ａの奥端部を横断するように位置されている。なお、連結体１１０の連結体前部１１２には、前面の中心部から突出した軸方向に円柱状を成す突部１１２ｃが設けられている。
【００１４】
連結体１１０とハウジング１３０は上述のように構成されており、連結体１１０は、連結体前部１１２に設けられている突部１１２ｃがハウジング１３０の支持孔１３８ａに回転自在に嵌合され、支持リング１１８，１１８′の下半部１１８ａ，１１８′ａの外周部が係合溝１４０ａ，１４０ｂに係合され、各係合突起１１９ａ〜１１９ｄが連結体配置部１３９の周壁の係合孔１４１ａ〜１４１ｄに係合される如くして、ハウジング１３０に支持される。そして、連結体１１０のフランジ１１１ｃから後側の部分がケース１０１の挿通孔１０１ａに回転自在に支持されることによって、連結体１１０がハウジング１３０及びケース１０１にその軸回り方向へ回転自在に支持されるようにされている。
【００１５】
コネクタ装置１００の内部構成については図１７に示す如く、連結体１１０のに備えられている端子板１１４〜１１７について、端子板１１４は連結体中間部１１３の前側の嵌合突部１１３ｂに、端子板１１５は連結体前部１１２の嵌合突部１１２ｂに、端子板１１６は連結体中間部１１３の後側の嵌合突部１１３ｃに、端子板１１７は連結体後部１１１の嵌合突部１１１ｄにそれぞれ外嵌されている。また、端子板１１４〜１１７はこれらの端子板１１４〜１１７の内周円から軸方向と平行に延びる接続片１１４ａ，１１５ａ，１１６ａ，１１７ａを有しており、これら接続片１１４ａ〜１１７ａにモジュラーコード１０２が有する４本の導線１０２ａ〜１０２ｄの一端が各別に半田付けされている。
【００１６】
ハウジング１３０に備えられている４本のモジュラー端子１３２〜１３５は前後方向に延び互いに長さが異なる中間部１３２ａ，１３３ａ，１３４ａ，１３５ａと前端から略後ろ方向へ延びた互いに同じ長さの傾斜部１３２ｂ〜１３５ｂと中間部１３２ａ〜１３５ａの後端から上方へ向かってそれぞれ延びた互いに略同じ長さの立上部１３２ｃ〜１３５ｃとで形成されている。この立上部１３２ｃ〜１３５ｃは支持リング１１８、１１８′に形成されたスリット１２０ｂ〜１２３ｂ内に各別に挿入されており、上端よりの部分は各別にそれぞれ対応したバネ配置穴１２０ａ〜１２３ａの奥端部に位置される。また、各コイルバネ１２０〜１２３はバネ配置穴１２０ａ〜１２３ａの奥端面に位置されている立上部１３２ｃ〜１３５ｃとそれぞれ対応した端子板１３２〜１３５との間で圧縮されるよう位置されている。
【００１７】
即ち、各立上部１３２ｃ〜１３５ｃは、各コイルバネ１２０〜１２３の一端の輪と各別に接触され、各コイルバネ１２０〜１２３の他端を対応した端子板１３２〜１３５側へやや押圧しながらスリット１２０ｂ〜１２３ｂ内に挿入されている。従って、それぞれ対応したハウジング１３０に設けられた各モジュラー端子１３２〜１３５と連結体１１０に設けられたモジュラーコード１０２の各導線１０２ａ〜１０２ｄとが端子板１３２〜１３５及び縮設されたコイルバネ１２０〜１２３を介してそれぞれ電気的に接続された状態になされている。
【００１８】
このように構成されることで、モジュラーコード１０２はケース１０１及びモジュラーコード１０２に結合された別のモジュラーコードに対して相対的に軸回り方向に自由に回転することができ、また、この回転の際には各端子板１３２〜１３５と各コイルバネ１２０〜１２３とは相対的に辷るようにして常に接触する状態にすることができるため、モジュラーコード１０２及び別のモジュラーコード、又はこれらのどちらか一方に捩じるような力が加えられたときはモジュラーコード１０２は連結体１１０と一体的に回転されて捩じれが生じるのが防止されることができる。
【００１９】
【発明が解決しようとする課題】
ところで、上述のコネクタ装置は、部品点数が多く構造が複雑であるため製造するにあたり多くの労力を費やさなければならなかった。また、コイルバネのような高価な材料を用いなければならないため、コネクタ装置が高価なものとなってしまい量産性に適さないという不都合があった。
【００２０】
本発明はかかる点に鑑み、簡単な構成で安価な量産性に適したこの種のコネクタ装置を提供することを目的とする。
【００２１】
【課題を解決するための手段】
この課題を解決するために本発明は、前面側にモジュラーコネクタ又はモジュラープラグが着脱自在に結合される結合部を備え、背面側に結合部内のそれぞれのモジュラー端子と導通した摺接部がそれぞれ異なる半径位置に露出した第１及び第２のモジュラーソケットと、同心円状に配した複数の端子板を、一方及び他方の面に露出した状態で保持し、第１のモジュラーソケットの背面側と一方の面とを略同軸に接続させて、第１のモジュラーソケットのそれぞれの摺接部とそれぞれの端子板とを個別に接触させた状態で回転自在に連結すると共に、第２のモジュラーソケットの背面側と他方の面とを略同軸に接続させて、第２のモジュラーソケットのそれぞれの摺接部とそれぞれの端子板とを接触させた状態で連結する連結体とを備えたものである。
【００２２】
本発明によると、部品点数の少ない簡単な構成で、電話機用コードの捩じれを回避することができる。
【００２３】
【発明の実施の形態】
以下、本発明の一実施の形態を図１〜図１２を参照して説明する。
【００２４】
本例のコネクタ装置は、例えば電話機本体の受話器接続用モジュラーソケットと、受話器が一端に接続されたカールコードの他端のモジュラーコネクタとの間に接続して、カールコードの捩じれを防止するためのものである。図１は、組み立てられた状態のコネクタ装置１と、そのコネクタ装置１に接続して使用されるプラグ装置６とを示す図である。コネクタ装置１は、２つのケース４，５を接合した状態で、その内部に、２つのモジュラーソケット２，２′と、両モジュラーソケット２，２′を連結する連結体３とが配置される構成としてある。各モジュラーソケット２，２′の端部には、モジュラーコネクタが挿入されるコネクタ結合用凹部１４，１４′が設けてある（凹部１４′は図１では裏側に隠れた位置になる）。
【００２５】
ここで、このコネクタ装置を捩じれ防止装置として使用する場合には、プラグ装置６を用意する。このプラグ装置６は、長さが数ｃｍ程度のモジュラーコード６１の両端にモジュラーコネクタ６２，６３が接続されたものである。そして、例えばコネクタ装置１の一方のコネクタ結合用凹部１４に、カールコードのモジュラーコネクタを挿入し、他方のコネクタ結合用凹部１４′に、プラグ装置６の一方のモジュラーコネクタ６２を挿入する。そして、プラグ装置６の他方のモジュラーコネクタ６３を、電話機本体の受話器接続用モジュラーソケットに挿入して使用する。ここで本例のコネクタ装置１は、ケース４，５内の一方のモジュラーソケット２が、連結体３及び他方のモジュラーソケット２′に対して回転自在としてあり、このモジュラーソケット２の回転により、カールコードの捩じれを防止する。
【００２６】
ケース４，５内に配置されるモジュラーソケット２，２′と連結体３を図２に示すと、本例ではモジュラーソケット２と２′は略同一の構造を成し、これらのモジュラーソケット２，２′を同軸に保つ如く連結する連結体３を備えている。なお、以下の説明において、モジュラーソケット２′におけるモジュラーソケット２と同一の部分については、モジュラーソケット２の説明に用いる符号にダッシュ（′）を付して説明する。また、以下の説明において、モジュラーソケット２側を前方とし、モジュラーソケット２′側を後方とし、上下方向は図２に示す方向に従うものとする。
【００２７】
モジュラーソケット２は例えば合成樹脂で一体に形成してあり、略円筒状を成す後半部分（以下、モジュラーソケット後部という）１０と、モジュラーソケット後部１０の外径よりも、やや外径が大きくやや内径の小さいリング状を成し、モジュラーソケット後部１０から後方に僅かに突出している後端部１１と、モジュラーソケット後部１０よりもやや外径の小さい略円筒状を成す前半部分（以下、モジュラーソケット前部という）１２と、モジュラーソケット前部１２から前方に突出した、モジュラーソケット前部１２よりもやや外径の小さい前端部１３と、前端部１３の前端面１３ａに開口している例えばカールコードの有するモジュラーコネクタ（図示せず）を着脱自在に結合するコネクタ結合用凹部１４とで外形を成している。なお、これら後端部１１、モジュラーソケット後部１０、モジュラーソケット前部１２及び前端部１３は同軸に形成してありそれぞれの境界には所定の段差を有している。また、上方の所定の２箇所にモジュラーソケット前部１２と前端部１３の境界を挟んで垂直方向に貫く所定の穴１２ａ，１２ｂが設けてある。
【００２８】
モジュラーソケット２は本例では４本のモジュラー端子２１，２２，２３，２４を有する端子部２０を備えている。また、モジュラーソケット２は各モジュラー端子２１〜２４を各別に配置する４つの細長い端子配置溝１６ａ，１６ｂ，１６ｃ，１６ｄを設けてあり、この端子配置溝１６ａ〜１６ｄから略後ろ方向へ延びる互いに同じ長さの各モジュラー端子２１〜２４の傾斜部２１ｂ，２２ｂ，２３ｂ，２４ｂが突出するようにしてある。
【００２９】
また、モジュラーソケット２は図３に示す如く、モジュラーソケット２が備える端子部２０には各モジュラー端子２１〜２４を各別に配置する４つの端子配置溝２５ａ，２５ｂ，２５ｃ，２５ｄを設けてあり、本例では端子配置溝２５ａ〜２５ｄから略上方であって略同心円の一部を描く如くして延びる互いに略同じ長さの各モジュラー端子２１〜２４の立上部２１ｃ，２２ｃ，２３ｃ，２４ｃが突出する如くしてある。また、モジュラーソケット２の背面には、略円状を成す背面の軸心から後方に突出する略円筒状をした突部１７を設けてある。なお、本例では各立上部２１ｃ〜２４ｃの先端部分にフック形状を成す摺接部２１ｄ，２２ｄ，２３ｄ，２４ｄを有する。この摺接部２１ｄ〜２４ｄは本例ではそれぞれ先端から例えば切れ目を入れて二股状にしてある。
【００３０】
モジュラーソケット２が備える端子部２０については例えば図４に示す如く、側面に所定の厚みを有し上面及び底面を持たない略筐体を成す端子部前部２０ａと、下部がモジュラーソケット２の後端部１１の内径と略同一の外径である円板の一部を成し、中間部が略直方体状を成し、上部が略板状を形成する端子部後部２０ｂと、４本のモジュラー端子２１〜２４を有している。また、各モジュラー端子２１〜２４は、端子部前部２０ａ及び端子部後部２０ｂの内部をそれぞれ前後方向に貫いている中間部２１ａ，２２ａ，２３ａ，２４ａと、傾斜部２１ｂ〜２４ｂと、立上部２１ｃ〜２４ｃとを有しており、本例では各中間部２１ａ〜２４ａの後部を屈曲させて、所望の位置に設けた端子配置溝２５ａ〜２５ｄを挿通するように形成してある。なお、本例では端子部後部２０ｂの底部に係合突起２６を備えている。
【００３１】
また、モジュラーソケット２は図５に示す如く、本例ではモジュラーソケット後部１０の下方に形成した係合孔１０ａの内面に、端子部２０が下方に有している係合突起２６を係合すると共に、モジュラーソケット前部１２の下方に端子部前部２０ａと略同一形状の略直方体状の溝を形成する係合溝１２ａに、端子部前部２０ａを係合する如くして、端子部２０を取り付けてある。この場合、本例では端子部前部２０ａの前面のうち各モジュラー端子２１〜２４が突出する中心部の面を除く左右の面等が係合溝１２ａに係合するようにしてある。なお、本例の各モジュラー端子２１〜２４の中間部２１ａ〜２４ａから傾斜部２１ｂ〜２４ｂまでの間には、図５の示すように帯状の補強板２７を配置してある。
【００３２】
連結体３については例えば図６に示す如く、モジュラーソケット２が連結される側の面については、モジュラーソケット２の後端部１１より僅かに大きい外径を成しモジュラーソケット２の後端部１１と略同一の内径を成す円筒部３１と、この連結体３の軸の中心部分に円筒部３１と略同一の前後方向の幅の円筒状を形成しモジュラーソケット２の突部１７の外径よりやや大きい内径を成し前後に貫通している連結孔３２ａが設けられた突部３２と、円筒部３１の前後方向の略中心位置の内壁に円板状を形成し互いに同心円状に位置する本例では４つの端子板３３，３４，３５，３６とを備えている。なお、円筒部３１は、組み立ての際モジュラーソケット２の後端部１１と接する略円帯状を成す接触部３１ａを前面に有し、円筒部３１の外壁部分である外壁部３１ｂに５つの回止突起３７ａ，３７ｂ，３７ｃ，３７ｄ，３７ｅを設けてあり、この回止突起３７ａ〜３７ｅは円筒部３１の前端から後方へ向けて、円筒部３１の前後方向の幅より短い所定の幅を有している。また、各端子板３３〜３６は，モジュラー端子２１〜２４の各摺接部２１ｄ〜２４ｄにそれぞれ対応する位置に形成してある。
【００３３】
また、連結体３のモジュラーソケット２′が連結される側の面については、例えば図７に示す如く、連結体３がモジュラーソケット２′と接合する部分である接合部３１ｃを有している。この接合部３１ｃ側の面には、略網目状に例えば合成樹脂で壁部３８が形成してある。この壁部３８の形成位置は、モジュラーソケット２′が連結される面の約半分としてあり、残りの約半分の範囲では、同心円状の４つの端子板３３，３４，３５，３６が露出している。但し、各端子板３３〜３６を保持するための部材３９が合成樹脂で一体に成形してある。
【００３４】
本例のコネクタ装置１は、既に図１で説明したように、モジュラーソケット２と連結体３の前半部分を所望の状態で収納するケース前部４と、連結体３の後半部分とモジュラーソケット２′を所望の状態で収納するケース後部５とを備えている。この２つのケース４，５が２つのモジュラーソケット２，２′及び連結体３を所望の状態で収納して、本例のコネクタ装置を構成する如くしてある。
【００３５】
ケース前部４は、本例では合成樹脂で一体に形成してあり、図８に示す如く、前後方向に略円錐台状の外形を成し前後方向は空洞としてある。このケース前部４は、モジュラーソケット２の前端部１３の外径よりやや大きい内径を成す前端部４１と、モジュラーソケット前部１２とモジュラーソケット後部１０と後端部１１の部分を収納するソケット収納部４２と、所定の内径を成す後端部４３とで形成してある。ソケット収納部４２と後端部４３との境界部分は内壁に所定の段差部４２ａを形成している。後端部４３は、本例では上下２箇所に他の部分よりも後方に延長させた部分を設け、その延長部分にケース後部５と結合するための結合孔４３ａ，４３ｂを設けてある。また、本例では後端部４３の内壁の所望の位置に、軸の中心に向かって突出している位置決め突起４４を設けている。この位置決め突起４４は、段差部４２ａの所定の一箇所から後方に突出し、後端部４３内壁面に設けてある。
【００３６】
また、ケース前部４は図９に断面で示す如く、前端部４１の内壁面を全周に亘り後方に向けて僅かに突出させて、この突出部４１ａがモジュラーソケット２の収納の際にモジュラーソケット２のモジュラーソケット前部１２と前端部１３との段差が形成する円帯状の面に接する如くしてある。なお、ソケット収納部４２の前半部分を成すソケット収納部前部４２ｂは、内径がモジュラーソケット前部１２の外径よりやや大きく形成してあり、モジュラーソケット２の収納の際にモジュラーソケット前部１２の略前半部分を収納する如くしてある。また、モジュラーソケット２収納の際に、段差部４２ａとモジュラーソケット２の後端の位置が前後方向について略一致する如く、ソケット収納部４２の前後方向の幅を定めてあり、段差部４２ａの内径はモジュラーソケット２の後端部１１の外径よりもやや大きく形成してある。
【００３７】
ケース後部５は、本例では合成樹脂で一体に形成してあり、図１０に示す如く、前後方向に略円錐台状の外形を成し前後方向は空洞としてある。本例のケース後部５は、後端部５１と、ソケット収納部５２と、後端部５３とで形成してあり、このケース後部５は本例ではモジュラーソケット２と略同一のモジュラーソケット２′を収納するため、後端部５１はケース前部４の前端部４１と、ソケット収納部５２はケース前部４のソケット収納部４２と略同一の形状を成している。前端部５３は、ケース前部４の後端部４３の内径よりやや小さい外径を成し、連結体３の円筒部３１の外径よりやや大きい内径を成す略円筒状の形状をしている。なお、前端部５３は、本例では上下２箇所に他の部分よりも後方に幅をもたせて、その部分にケース前部４と結合するための結合突起５３ａ，５３ｂを設けてある。
【００３８】
ソケット収納部５２と前端部５３との境界部分は外壁に所定の段差部５２ａを形成している。この段差部５２ａは、ケース前部４の後端部の端面４３ｃと略隙間なく接する形状としてある。また、本例ではソケット収納部５２の内壁に、連結体３の回止突起３７ａ〜３７ｅに対応して５つの回止溝５４ａ，５４ｂ，５４ｃ，５４ｄ，５４ｅを設けてあり、前端部５３の端前はケース前部４の段差部４２ａと略隙間なく接する形状としてある。更に本例では、前端部５３の内壁に、ケース前部４の位置決め突起４４に対応した位置決め溝５５を設けている。また、ソケット収納部５２の内壁には、収納させたモジュラーソケット２′の溝１８′と嵌合する突起部５６を設けている。
【００３９】
また、ケース後部５は図１１に断面で示す如く、後端部５１の内壁面を全周に亘り前方に向けて僅かに突出させた、ケース前部４の突出部４１ａと略同一形状を成す突出部５１ａを設けてあり、ソケット収納部５２の後半部分を成す収納部後部５２ｂはケース前部４の収納部前部４２ｂと略同一の形状を成すようにしてある。なお、ソケット収納部５２は、ケース前部４のソケット収納部４２と略同一に前後方向の幅等を定めてある。
【００４０】
本例のコネクタ装置の組み立てについては、本例では図１２に示すように、モジュラーソケット２′の前面と連結体３の背面とを接合する。この接合は、連結体３の連結孔３２ａにモジュラーソケット２′の突部１７′を挿入して同軸に保ち、連結体３の接合部３１ｃをモジュラーソケット２′の後端部１１′に例えば接着等により接合する。このとき各モジュラー端子２１′〜２４′の摺接部２１ｄ′〜２４ｄ′が対応する端子板３３〜３６にそれぞれ接するようにして、電気的に接続するようにする。
【００４１】
そして、接合して一体としたモジュラーソケット２′と連結体３とをケース後部５に収納する。この収納の際には、連結体の回止突起３７ａ〜３７ｅがそれぞれケース後部５の回止溝５４ａ〜５４ｅに係合するように収納する。このとき、ケース後部５の突出部５１ａにはモジュラーソケット２′のモジュラーソケット前部１２と前端部１３との段差面が接するようになっており、ケース後部５の後端とモジュラーソケット２′の後端が略一致するようになっている。また、ケース後部５の端面５３ｃと連結体３の接続部３１ａが前後方向に略一致している。また、ケース後部５の内壁の突起部５６が、モジュラーソケット２′の溝１８′と嵌合して、モジュラーソケット２′のケース後部５に対して回動しない状態に収納される。
【００４２】
次に、ケース後部５に収納してある連結体３の連結孔３２にモジュラーソケット２の突部１７を挿入して同軸に保ようにする。そして、このモジュラーソケット２に被せるようにしてケース前部４をケース後部５に結合させる。この結合の際には、ケース前部４の位置決め突起４４がケース後部５の位置決め溝５５に係合するようにすると共に、ケース前部４の結合孔４３ａ，４３ｂがそれぞれケース後部５の結合突起５３ａ，５３ｂと係合する如くして行う。このとき、モジュラーソケット２の後端の円帯状の面と連結体３の接触部３１ａが接する状態になっており、モジュラーソケット２のモジュラー端子２１〜２４の摺接部２１ｄ〜２４ｄはそれぞれ対応する各端子板３３〜３６に２点で接している。また、モジュラーソケット２はケース４，５等に対して軸回り方向に自由に回動することができ、この回動の際には各端子板３３〜３６と各摺接部２１ｄ〜２４ｄとは常にそれぞれ２点で接触するようになっている。
【００４３】
このようにして組み立てたコネクタ装置は図１に示す如く略樽形を成し、結合したケース前部４とケース後部５の内部に、本例ではケース前部４及びケース後部５に対して回止してある連結体３及びモジュラーコネクタ２′と、ケース前部４及びケース後部５に対して自在に回動する如く連結体３に接続したモジュラーコネクタ２とを備えている。また、前後のコネクタ結合用凹部１４，１４′は外部に接するようにしてある。
【００４４】
このコネクタ装置１の使用態様については、例えばモジュラーソケット２をカールコードの一端に有するモジュラーコネクタに結合し、モジュラーソケット２′を前後にモジュラーコネクタを有するプラグ装置６を介して電話機本体に結合する如くする。このようにして、カールコードはモジュラーソケット２′に結合したモジュラーコネクタに対して相対的に軸回り方向に自由に回動し、また、この回動の際には各端子板３３〜３６と対応する各モジュラー端子２１〜２４の各摺接部２１ｄ〜２４ｄの所定の接点部分とは相対的に滑るようにして常に接触する状態になっている。即ち、カールコード又はモジュラーソケット２′に結合したモジュラーコネクタ、又はこれらのどちらか一方に捩じるような力が加えられたときは電気的な接続を保ったままカールコードはモジュラーソケット２と一体的に回動して捩じれを防止するようにしてある。
【００４５】
このように構成したことで、高価な部品を用いることなく、部品点数の少ない簡単な構成で、電話機用コードの捩じれを防止することができる。また、モジュラー端子２１〜２４の各摺接部２１ｄ〜２４ｄを二股にして対応する各端子板３３〜３６にそれぞれ２点で接するようにしたため、いずれかの１点の接点が離れてしまっても、常に良好に接続を保つことができ、接点が良好に接していないことによるノイズの発生を防止することができる。さらに、前後のモジュラー端子２１〜２４及び２１′〜２４′の接点部分を同一の部品（本例では端子板３３〜３６の表と裏）としたと共に２つのモジュラーソケット２，２′を略同一構造としたことにより、介在する部品点数を最小限に抑えることができ、ノイズの発生を防止することができる。
【００４６】
また、本例の場合には図１に示すようにコネクタ装置１とプラグ装置６とを別体としたことで、コネクタ装置１だけを使用して、そのコネクタ装置１の前後に２つの電話機用コードを接続して、電話機用コードを所望の長さに延長することができる。この場合にも、その電話機用コードの捩じれを防止することができる。
【００４７】
上述した一実施の形態では、前後にモジュラーソケットを備えるようにしていたが、一方のモジュラーソケットに換えて例えばモジュラーコネクタを、コネクタ部分がケースから突出するように備える如くして、直接電話機本体に接続できるようにしても良い。この場合には、ケースに収納できるものであって、連結体の端子板と確実に電気的に接続できるものであれば、どのようなモジュラーコネクタを用いても良い。なお、摺接部は二股であるとして説明したが、二股に限らずそれ以上に分割して多くの接点を持つようにしても良い。或いは二股でなくても良い。
【００４８】
また、上述した一実施の形態では、略同一の構成から成る２つのモジュラーソケットを用いたが、必ずしも同一である必要はなく、特に一方のモジュラーソケットをケース及び連結体に対して回止する如くするときには、そのモジュラーソケットは確実に電気的に接続できるものであればモジュラー端子の摺接部等を有さないものであっても良い。
【００４９】
なお、本発明のコネクタ装置は、上述した一実施の形態に限られるものではなく、他の種々の態様を取ることができることは勿論である。
【００５０】
【発明の効果】
請求項１に記載した発明によると、量産性に適した簡単な構成で電話機用コードの捩じれを回避することができる。
【００５１】
請求項２に記載した発明によると、ケースに部品を収納する簡単な構成で電話機用コードの捩じれを回避することができる。
【００５２】
請求項３に記載した発明によると、簡単な構成で電話機用コードの捩じれを回避することができると共に、常に良好に接続を保つことでノイズの発生を防止することができる。
【図面の簡単な説明】
【図１】本発明の一実施の形態におけるコネクタ装置の構成の例を示す斜視図である。
【図２】本発明の一実施の形態におけるモジュラーソケット及び連結体の構成の例を示す斜視図である。
【図３】本発明の一実施の形態におけるモジュラーソケットの構成の例を示す背面図である。
【図４】本発明の一実施の形態における端子部の構成の例を示す斜視図である。
【図５】本発明の一実施の形態におけるモジュラーソケットの構成の例を示す図３のＶ−Ｖ線に沿う断面図である。
【図６】本発明の一実施の形態における連結体の構成の例を示す前面の斜視図である。
【図７】本発明の一実施の形態における連結体の構成の例を示す背面の斜視図である。
【図８】本発明の一実施の形態におけるケース前部の構成の例を示す斜視図である。
【図９】本発明の一実施の形態におけるケース前部の構成の例を示す図８のIX−IX線に沿う断面図である。
【図１０】本発明の一実施の形態におけるケース後部の構成の例を示す斜視図である。
【図１１】本発明の一実施の形態におけるケース後部の構成の例を示すXI−XI線に沿う断面図である。
【図１２】本発明の一実施の形態におけるコネクタ装置を連結した状態の例を示す断面図である。
【図１３】従来のコネクタ装置の構成の例を示す斜視図である。
【図１４】従来のコネクタ装置の構成の例を示す斜視図である。
【図１５】従来のコネクタ装置における連結体及びハウジングの構成の例を示す分解斜視図である。
【図１６】従来のコネクタ装置における連結体の構成の例を示す連結体の一部を切り欠いて示す平面図である。
【図１７】従来のコネクタ装置の構成の例を示す図１３のＡ−Ａ線に沿う断面図である。
【符号の説明】
１…コネクタ装置、２…モジュラーソケット、３…連結体、４…ケース前部、５…ケース後部、２１〜２４…モジュラー端子、２１ｄ〜２４ｄ…摺接部、１００…コネクタ装置
【図１】
0003946870.tif 000002
【図２】
0003946870.tif 000003
【図３】
0003946870.tif 000004
【図４】
0003946870.tif 000005
【図５】
0003946870.tif 000006
【図６】
0003946870.tif 000007
【図７】
0003946870.tif 000008
【図８】
0003946870.tif 000009
【図９】
0003946870.tif 000010
【図１０】
0003946870.tif 000011
【図１１】
0003946870.tif 000012
【図１２】
0003946870.tif 000013
【図１３】
0003946870.tif 000014
【図１４】
0003946870.tif 000015
【図１５】
0003946870.tif 000016
【図１６】
0003946870.tif 000017
【図１７】
0003946870.tif 000018